(57)【要約】【課題】誘導効果が高く、しかも催し会場や美術館等のように通路の形態が頻繁に変更される場所に容易に対応できる誘導灯装置を提供することにある。【解決手段】誘導灯装置Ａは有機ＥＬ発光素子１０からなる可撓性を有するシート状のセグメント発光体１を誘導方向に沿って複数連接して構成される。【選択図】図１
2008171204.tif 000002
【特許請求の範囲】
【請求項１】
有機ＥＬ発光素子からなる可撓性を有するシート状のセグメント発光体を誘導方向に沿って複数連接して構成されることを特徴とする誘導灯装置。
【請求項２】
各セグメント発光体に駆動部を備えるとともに、外部からの情報に基づいて各セグメント発光体の駆動部を制御して各セグメント発光体の発光状態を変化させ情報伝達を行う制御部を備えていることを特徴とする請求項１記載の誘導灯装置。
【請求項３】
前記制御部は、火報装置からの発報情報に基づいて誘導する非常用出口を判断し、当該非常用出口への誘導方向に各セグメント発光体を走査発光させることを特徴とする請求項２記載の誘導灯装置。
【請求項４】
前記制御部は、設置場所の混雑度合いを監視する監視装置からの情報に基づいて当該設置場所の混雑度を判断するとともに、混雑度に応じて誘導する出口を判断し、当該出口への誘導方向に各セグメント発光体を走査発光させることを特徴とする請求項２記載の誘導灯装置。
【請求項５】
複数の誘導方向に対応するようにセグメント発光体を複数連接配置するとともに、各誘導方向を選択する入力部と、各誘導方向に対応するセグメント発光体の配置パターンを記憶する記憶部とを備え、前記制御部は前記入力部で選択された誘導方向に対応する配置パターンを前記記憶部から読み出して当該配置パターンに基づいたセグメント発光体群を当該誘導方向に走査発光させることを特徴とする請求項２記載の誘導灯装置。
【発明の詳細な説明】
【技術分野】
【０００１】
本発明は、非常時等において人を誘導する誘導灯装置に関するものである。
【背景技術】
【０００２】
従来、避難誘導のための誘導灯装置は、ビル、劇場、ホテル等多数の人が出入りする場所に設置されているが、壁面に取り付けられたり、天井からの吊り下げられ、非常用出口の存在方向を示す矢印を表示したり、非常用出口の存在場所を示す絵文字が表示されるものが一般的であった。
【０００３】
このような誘導灯装置以外に例えば廊下に沿って複数のランプを床面に埋設した誘導灯装置（例えば特許文献１）や、廊下の天井面にＬＥＤをライン状に埋設し、非常時には間引き点灯させる誘導灯装置（特許文献２）等もある。
【特許文献１】特開平６−１５０１４号公報（図５）
【特許文献２】特開２００６−３２３６４号公報（図４）
【発明の開示】
【発明が解決しようとする課題】
【０００４】
ところで、特許文献１，２に記載されている誘導灯装置は、廊下に沿って照明されるため、避難誘導には効果的であるが、床面や、天井等に埋設する恒久的な設備構成であるため、催し会場や、美術館等展示内容に応じた通路を変更させるような場所には対応できなかった。
【０００５】
本発明は、上述の点に鑑みて為されたもので、その目的とするところは、誘導効果が高く、しかも催し会場や美術館等のように通路の形態が頻繁に変更される場所に容易に対応できる誘導灯装置を提供することにある。
【課題を解決するための手段】
【０００６】
上述の目的を達成するために、請求項１の発明では、有機ＥＬ発光素子からなる可撓性を有する矩形状のセグメント発光体を誘導方向に沿ってライン状に複数連接して構成されることを特徴とする。
【０００７】
請求項２の発明では、請求項１の発明において、各セグメント発光体に駆動部を備えるとともに、外部からの情報に基づいて各セグメント発光体の駆動部を制御して各セグメント発光体の発光状態を変化させて情報伝達を行う制御部を備えていることを特徴とする。
【０００８】
請求項３の発明では、請求項２の発明において、前記制御部は、火報装置からの発報情報に基づいて誘導する非常用出口を判断し、当該非常用出口への誘導方向に各セグメント発光体を走査発光させることを特徴とする。
【０００９】
請求項４の発明では、請求項２の発明において、前記制御部は、設置場所の混雑度合いを監視する監視装置からの情報に基づいて当該設置場所の混雑度を判断するとともに、混雑度に応じて誘導する出口を判断し、当該出口への誘導方向に各セグメント発光体を走査発光させることを特徴とする。
【００１０】
請求項５の発明では、請求項２の発明において、複数の誘導方向に対応するようにセグメント発光体を複数連接配置するとともに、各誘導方向を選択する入力部と、各誘導方向に対応するセグメント発光体の配置パターンを記憶する記憶部とを備え、前記制御部は前記入力部で選択された誘導方向に対応する配置パターンを前記記憶部から読み出して当該配置パターンに基づいたセグメント発光体群を当該誘導方向に走査発光させることを特徴とする。
【発明の効果】
【００１１】
本発明は、セグメント発光体が有機ＥＬ発光素子からなるシート状であるため、設置場所の床面や天井面に貼り付ける形で設置することができるので、埋設のための敷設工事が不要であり、しかも撤去が容易なため、催し会場や美術館等のように通路の形態が頻繁に変更される場所に簡単に対応させることができ、更に矩形状のセグメント発光体を誘導方向に沿ってライン状に複数連接して構成されるので、誘導案内の効果が高い上にセグメント発光体の数を増減することで設置場所に容易に適合できるという効果がある。
【発明を実施するための最良の形態】
【００１２】
以下本発明を実施形態により説明する。
（実施形態１）
本実施形態の誘導灯装置Ａは、図１（ａ）〜（ｃ）に示す有機ＥＬ発光素子を光源としたセグメント発光体１を、図１（ｄ）に示すように設置場所の通路の床面にライン状に連接配置して構成されるものである。
【００１３】
セグメント発光体１は、薄い例えばポリアクリレートのフィルムのような薄く、可撓性を有する基板の表面に設けた背面電極を形成し、この背面電極の表面にＥＬ材料を積層しして発光層を形成し、この発光層の表面に透明電極を形成し、更に透明電極の表面側に例えばポリアクリレートのフィルムからなる可撓性を有する透明シートで覆い、表面側に長方形状の発光面を形成した有機ＥＬ発光素子１０からなり、両端には背面電極に電気的に接続された例えば＋極の取り出し用電極１１ａ、１１ｂを夫々設けるとともに、透明電極に電気的に接続された例えば−極の取り出し用電極１２ａ、１２ｂを設けてある。尚実施形態では両端の取り出し電極１１ａ、１１ｂの一方を背面電極に接続し、この一方と他方の間を銀ペース等からなる補助電極１１ｃ、１１ｃを介して接続している。
【００１４】
ここで一端（図では上端側）側の電極１１ａ，１２ａの背面位置と、他端側の電極１１ｂ、１２ｂの表面位置とを同じとすることで、セグメント発光体１を連接する際に一方のセグメント発光体１の一端側の電極１１ａ、１２ａの背面を、他方のセグメント発光体１の他端側の電極１１ｂ、１２ｂの表面に重ねることで、発光面１０を面一とした状態で、夫々のセグメント発光体１同士を電気的に並列接続することができることになる。
【００１５】
而して、図１（ｄ）に示すような設置場所（図示例では例えば美術館）の通路の床面Ｆ上に通路に沿うようにセグメント発光体１をライン状に連接配置することで、通路に沿った誘導灯装置Ａを設置することができる。この際各セグメント発光体１の背面を両面テープや、面状ファスナーなどで床面に貼り付ければ、展示物によって通路が変更される場合にも容易に撤去することができる上に再使用も可能となり、そのため美術館の他に、展示物などによって通路変更が頻繁に行われる催し会場等にも最適な誘導灯装置Ａを提供できることになる。勿論恒久的な設備として誘導灯装置Ａを設置する場合にも、埋設等の敷設工事が必要でないため、施工コストの安価な誘導灯装置Ａとして提供することができる。
【００１６】
尚角部で直交するようにセグメント発光体１を連接する場合には、セグメント発光体１の両側側部にも＋、−用の電極を設けた角部用のセグメント発光体１を用いる
さて、上述のように複数のセグメント発光体１を連接配置して構成された誘導灯装置Ａは、図２に示すように一端側に配置されるセグメント発光体１の取り出し電極１１ａ，１２ａ間又は１１ｂ、１２ｂ間に直流電圧を印加することで、全てのセグメント発光体１の有機ＥＬ発光素子１０を発光させる駆動電源部２と、この駆動電源部２を制御する制御部３とを備えており、例えば火報装置Ｂから発報情報を受け取ると制御部３によって駆動電源部２を制御し、各セグメント発光体１に供給する電力を断続させることで発光状態を点滅させ、これにより非常発生を人に知らせるようになっている。尚駆動電源部２は商用電源ＡＣから直流電圧を得る。
（実施形態２）
ところで、上述の実施形態では誘導灯装置Ａを構成するセグメント発光体１の発光は一括して制御される構成であるが、本実施形態では図３に示すようにセグメント発光体１毎に発光状態を制御する発光制御部４を搭載し、駆動電源部２から供給される直流電圧上に重畳させた制御信号を制御部３から各セグメント本体１の発光制御部４毎に割り当てたアドレス宛に送り、各発光制御部４が自己宛の制御信号に基づいてスイッチ素子ＳＷを介して有機ＥＬ発光素子１０への発光電源供給を制御する構成としている。
【００１７】
尚各セグメント発光体１の発光制御部４に制御部３から制御信号を送る方法としては上述のように直流電圧に重畳させるものではなく、各発光制御部４に対して制御部３から所謂ゾロ引き配線した信号線によって制御信号を送るようにしても良い。また夫々のセグメント発光体１に駆動電源部２から各別に配線した電源路から電源供給を行うようにして、夫々に駆動電源部２からの電源供給を各別に制御することで上述の走査発光を実現するようにしても良い。
【００１８】
次に本実施形態の使用例を説明する。
【００１９】
使用例１
本例は火災発生時の避難誘導に誘導灯装置Ａを用いる例であって、例えば図４に示すように非常用出口ＥＸが二箇所ある場所に設置するものと想定して誘導灯装置Ａのセグメント発光体１群の両端が夫々の非常用出口ＥＸ付近に位置するようにセグメント発光体１を連接配置する。一方制御部３に火報装置Ｂから送られてくる発報情報に含まれる発火場所情報から発火場所を通らずに或いは離れた場所へ退避できる非常用出口ＥＸを判断する機能を備える。
【００２０】
而して火報装置Ｂから発報情報があると、制御部３は発報情報に含まれる発火場所の情報に基づいて二箇所の非常用出口ＥＸの何れを退避に用いるか判断し、この判断に基づいて誘導方向に走査発光するように各セグメント発光体１の発光制御部４へ制御信号を駆動電源部２から供給する直流電源電圧に重畳させて送信する。これにより各セグメント発光体１では発光制御部４が有機ＥＬ発光素子１０に発光電源供給を制御することで、誘導灯装置Ａ全体では発光位置が誘導方向に進行するように走査発光される。これにより人は非常用出口ＥＸに誘導案内されることになり、スムースに且つ安全に退避行動がとれることになる。
【００２１】
尚非常用出口ＥＸが三箇所以上のある場合には上述したような角部用のセグメント発光体１をＴ字路など分岐点に配置することで、各非常用出口に対応した走査発光が可能となる。
【００２２】
また、セグメント発光体１の有機ＥＬ発光素子１０として複数の色が発光できるものを用いて、通常時の発光色（例えば緑色）と、避難誘導時での発光色（赤色）と異ならせるようにすれば、人々に注意喚起することができる。
【００２３】
使用例２
本例は催し会場や美術館等で人が大勢おしかける場所で、混雑を避けてスムースに退出させる誘導案内に誘導灯装置Ａを用いる例であって、例えば図５に示すように退出口ＥＸ’が二箇所ある場所に設置するものと想定して誘導灯装置Ａのセグメント発光体１群の両端が夫々の退出口ＥＸ’付近に位置するようにセグメント発光体１を連接配置する。一方制御部３に人感センサや監視カメラによって人の混雑状態を監視する監視装置Ｃからの監視情報に基づいて人をスムースに退出できる退出口Ｅ’を判断する機能を備える。尚監視情報は例えば状態をモニタしている監視人の判断に基づいて退出口ＥＸ’を指示するように送られてくる信号であっても良い。
【００２４】
而して監視情報に基づいて、制御部３は混雑を回避してスムースに退出できる退職口をか判断し、この判断に基づいて誘導方向に走査発光するように各セグメント発光体１の発光制御部４へ制御信号を駆動電源部２から供給する直流電源電圧に重畳させて送信する。      
【００２５】
これにより各セグメント発光体１では発光制御部４が有機ＥＬ発光素子１０に発光電源供給を制御することで、誘導灯装置Ａ全体では発光位置が誘導方向に進行するように走査発光される。これにより人は混雑回避できる退出口ＥＸ’に誘導案内されることになり、スムースに且つ安全に退出する行動がとれることになる。
【００２６】
尚本例においても、退出口が三箇所以上のある場合には上述したような角部用のセグメント発光体１をＴ字路など分岐点に配置することで、各退出口ＥＸ’に対応した走査発光が可能となる。
【００２７】
また上述の何れの使用例でも制御信号を発光制御部４へ制御部３から電圧重畳によって送信する方法を採用しているが、以外に例えばＵＷＢ（Ultra Wide Band）のような無線通信を用いて送信するようにしてもよい。
（実施形態３）
本実施形態の誘導灯装置Ａは、オフィスビル等のフロアの受け付けから部屋（オフィス）へ来訪者を誘導案内するためのものであって、例えば図６（ａ）に示すようにフロアのメイン通路Ｍ及びメイン通路Ｘから分岐してから夫々の部屋Ｙの位置に至る複数の分岐通路Ｘ’に夫々セグメント発光体１の連接配置してメイン通路Ｘから分岐通路Ｘ’を経て部屋Ｙへ誘導案内できるようにしたものである。つまり各分岐通路Ｘ’に連接配置したセグメント発光体１群により分岐通路Ｘ’に対応する部屋Ｙへの誘導方向を示すようになっている。
【００２８】
上述の誘導案内に対応して図６（ｂ）に示すように、制御部３との間で有線（又は無線）で通信を行う機能と来訪者が訪問したい部屋Ｙに対応した誘導方向を選択するために夫々の部屋Ｙに対応付けた選択釦（図示せず）とを有する入力部５と、各分岐通路Ｘ’に対する誘導方向に基づいたセグメント発光体１群の配置パターンと部屋Ｙとの対応関係を示すテーブルを記憶する記憶部６とを備えている。
【００２９】
尚入力部５は、例えばディスプレイとタッチスイッチとを組み合わせ、例えば部屋Ｙの部署名を例えばアイコンで表示し、来訪者によって部署名のアイコンがタッチされると、当該部屋Ｙの選択信号を取り込むようになっているものを用いる。
【００３０】
制御部３は、入力部５との間で通信を行う機能を有するとともに、入力部５からの選択信号に基づいて対応する分岐通路Ｘ’のセグメント発光体１の配置パターンを記憶部６から読み出し、該配置パターンに対応するセグメント1発光体１群を走査発光させるように駆動電源部４を制御する機能とを備えている。
【００３１】
而して、来訪者は、フロアの入り口に設置された入力部５によって自分が訪問したい部屋Ｙを選択すると、この選択信号が制御部３に送られ、制御部３は選択された部屋Ｙに対応した誘導方向を示すセグメント発光体１の配置パターンを記憶部６から読み出し、当該配置パターンに対応する分岐通路Ｘ’のセグメント発光体１群を選択された部屋Ｙに誘導する方向に走査発光させる制御を、駆動電源部４を通じて行う。
【００３２】
一方。制御部３はメイン通路Ｘのセグメント発光体１群を順路方向に常時走査発光させて入場者を順路に沿った誘導するのである。
【００３３】
そして入力部５で部屋Ｙを選択した来訪者は、分岐通路Ｘ’のセグメント発光体１の走査発光によって当該部屋Ｙに誘導されることになる。この場合分岐通路Ｘ’のセグメント発光体１の発光色と、メイン通路Ｘのセグメント発光体１の発光色とを変えることで分岐通路Ｘ’とメイン通路Ｘとに識別性を持たせることで、来訪者が迷わないようにする。
【００３４】
尚セグメント発光体１の走査発光の制御方法は実施形態２と同じであるので説明は省略する。
【００３５】
ところで、部屋Ｙの代わり、例えば役所、銀行等の各種窓口が複数存在するようなフロアにも本実施形態は適用できる。この場合、入力部５で来訪者が選択するのは窓口となる。
【００３６】
また入場者が限定されるような美術館や催し会場での展示物への誘導案内にも本実施形態は適用できる。この場合、入力部５で来訪者が選択するのは入場者が見たい展示物となる。
【００３７】
尚一度に多数の入場者や来訪者が予測される場合には、メイン通路Ｘと分岐通路Ｘ’との分岐点に当該分岐通路Ｘ’が誘導案内する場所、展示物等を明示するような案内板を補助的に設けておけば良い。
【図面の簡単な説明】
【００３８】
【図１】実施形態１を示し、（ａ）はセグメント発光体の正面図、（ｂ）はセグメント発光体の側面図、（ｃ）はセグメント発光体の下面図、（ｄ）は誘導灯装置の配置例図である。
【図２】実施形態１の全体構成図である。
【図３】実施形態２に用いるセグメント発光体の構成図である。
【図４】実施形態２の使用例１の構成図である。
【図５】実施形態２の使用例２の構成図である。
【図６】（ａ）は実施形態３の通路のレイアウト例図、（ｂ）は要部の構成図である。
【符号の説明】
【００３９】
Ａ  誘導灯装置
Ｂ  火報装置
Ｆ  床面
ＡＣ  商用電源
１  セグメント発光体
１０  有機ＥＬ発光素子
１１ａ，１１ｂ，１２ａ，１２ｂ  取り出し用電極
１１ｃ  補助電極
２  駆動電源部
３  制御部
【図１】
2008171204.tif 000003
【図２】
2008171204.tif 000004
【図３】
2008171204.tif 000005
【図４】
2008171204.tif 000006
【図５】
2008171204.tif 000007
【図６】
2008171204.tif 000008